(57)【要約】      （修正有）【課題】サイドウォールの一部に設けられた無端装飾帯の一部から発生する可能性のあるクラックを抑えるとともに、装飾帯に形成した標章の視認性を向上させ、さらに、タイヤを加硫する金型の加工工数を低減することのできるタイヤを提供する。【解決手段】タイヤ１０は、サイドウォール１に無端装飾帯２を設けてなり、無端装飾帯２は、周方向に交互に配置された第一表示域３と第二表示域４とのそれぞれ１つ以上よりなり、第一表示域３は、これに隣接するサイドウォール１部分に、同じ平滑度で連続して連なる背景部分５と、この背景部分５内に設けられ、タイヤ半径方向最大幅が背景部分５と同じで、かつ、リッジ９を配列することにより標章を形成する前景部分６とよりなり、第二表示域４の全部もしくは一部を構成する背景部分７は、第一表示域３の背景部分５に配列されたリッジ９とタイヤ厚さ方向底面高さが同一のリッジ９を配列してなる。【選択図】図４
2009090950.tif 000002
【特許請求の範囲】
【請求項１】
平滑面よりなる一対のサイドウォール表面の少なくとも一方に、第一表示域と第二表示域とのそれぞれ１つ以上が周方向に交互に連続配置された無端装飾帯を有するタイヤにおいて、
前記第一表示域を、これに隣接するサイドウォール表面に、同じ平滑度で連続して連なる背景部分と、この背景部分内に設けられ、タイヤ半径方向最大幅が背景部分と同じで、かつ、多数のリッジを配列することにより標章を形成する前景部分とで構成し、
第二表示域の全部もしくは一部を構成する背景部分の表面を、前記第一表示域の前景部分と同じタイヤ厚さ方向底面高さを有するリッジを配列して構成し、これらのリッジのタイヤ厚さ方向高さを0.1〜1.0mmとしてなるタイヤ。
【請求項２】
第二表示域の背景部分に、表面を平滑面で構成することにより標章を形成する前景部分を設け、この前景部分の表面のタイヤ厚さ方向高さをサイドウォール表面と同一とする請求項１に記載のタイヤ。
【請求項３】
前記第二表示域の背景部分に配列されたリッジを、そのタイヤ半径方向に対する傾斜角度、断面形状、および、配列間隔のいずれにおいても、前記第一表示域の前景部分のリッジと同一とする請求項１もしくは２に記載のタイヤ。
【請求項４】
前記第一表示域のタイヤ半径方向最大幅を、前記第二領域のタイヤ半径方向最大幅の0.35〜1.35倍とする請求項１〜３のいずれかに記載のタイヤ。
【請求項５】
前記第一表示域に占めるその前景部分の面積の割合を、30〜90％とする請求項１〜４のいずれかに記載のタイヤ。
【請求項６】
前記第一表示域のタイヤ半径方向幅は10〜30mmとする請求項１〜５のいずれかに記載のタイヤ。
【発明の詳細な説明】
【技術分野】
【０００１】
本発明は、一対のサイドウォールの少なくとも一方の表面に装飾帯を設け、装飾帯に標章を形成したタイヤに関し、特に、標章の視認性を高めるとともに標章を形成したことに起因する寿命低下を防止し、さらにタイヤを加硫する金型を加工する際の工数を低減することのできるものに関する。
【背景技術】
【０００２】
タイヤのトレードマーク、トレードドレス等を表示するため、そのサイドウォールに、文字、記号または図形よりなる標章を形成することが行われていて、これらの標章を目立たせることを目的とした、以下のようなタイヤが知られている（例えば、特許文献１参照。）。
【０００３】
図１（ａ）は、このような従来のタイヤを示す側面図、図１（ｂ）は、図１（ａ）のｂ１−ｂ１矢視に対応する断面図であり、このタイヤは、サイドウォール９１の表面に、多数のリッジ９８を周方向に並べて表面を粗くした背景部分９２を有する無端の装飾帯９４を形成し、この背景部分９２の中に背景部分９２とは表面粗さの異なる前景部分９３を設け、これらの表面粗さの違いにより前記標章を表すことが行われている。
【０００４】
図２（ａ）は、このようなものの他の例を示すタイヤの側面図、図２（ｂ）は、図２（ａ）のｂ２−ｂ２矢視に対応する断面図であり、この図に示したタイヤも、同様に、サイドウォール９１Ａの表面に無端の装飾帯９４Ａを形成し、そのうちの一部の周方向部分に、リッジ９８Ａよりなる背景部分９２Ａを設け、背景部分９２Ａの中に背景部分９２Ａとは表面粗さの異なる前景部分９３Ａを設けて標章が形成されるよう構成されている。
【０００５】
標章を目立たせるための他の方法として、図３（ａ）、図３（ｂ）に、それぞれ、タイヤの側面図、および、図３（ａ）のｂ３−ｂ３矢視に対応する断面図で示すように、サイドウォール９１Ｂの表面に無端装飾帯９４Ｂを設け、その一部もしくは全部に、周囲より凸となる部分を形成し、この凸部分を背景部分９２Ｂとして、この中にサイドウォール９１Ｂの表面に対して凹部となる前景部分９３Ｂを設けて、これらの間に段差を形成することにより、前記標章を表すよう構成されたものもある。
【０００６】
【特許文献１】特開平１０−１９３９２２号公報
【発明の開示】
【発明が解決しようとする課題】
【０００７】
しかしながら、図１に示したタイヤにあっては、標章を大きくしようとして、背景部分９２の縁まで、あるいはその近くまで前景部分９３を延在させた場合には、これらの縁同士に挟まれた、幅d1の狭幅凹部９７に応力が集中しそこからクラックが入る可能性があるため、前景部分を十分に大きくすることができず、これを目立たせようとしても限界があった。これは、図２に示したものについても同様であり、幅d2の狭幅凹部９７Ａに応力が集中するのを防止する必要があった。
【０００８】
一方、図３に示したタイヤにあっては、前景部分９３Ｂをサイドウォール９１Ｂの表面に対して凹部となるよう設けたので、前景部分９３Ｂが文字を表すような場合には、前景部分９３Ｂ自体が狭幅凹部となってここにクラックが入りやすくなる上に、この前景部分９３Ｂを形成する金型の部分を、サイドウォールに対応する金型部分より凸にしなければならず、金型の加工工程を複雑にし、また、加工精度も悪化させてしまう。
【０００９】
また、この他、リッジの底の高さを変えて標章を強調するよう構成された装飾帯を有するサイドウォールも知られているが、この場合、タイヤを加硫する金型の加工に工数がかかるという問題があった。
【００１０】
本発明は、このような問題点に鑑みてなされたものであり、装飾帯の一部から発生する可能性のあるクラックを抑えるとともに、装飾帯に形成した標章の視認性を向上させることのでき、さらには、タイヤを加硫する金型の加工工数を低減することのできるタイヤを提供することを目的とする。
【課題を解決するための手段】
【００１１】
＜１＞は、平滑面よりなる一対のサイドウォール表面の少なくとも一方に、第一表示域と第二表示域とのそれぞれ１つ以上が周方向に交互に連続配置された無端装飾帯を有するタイヤにおいて、
前記第一表示域を、これに隣接するサイドウォール表面に、同じ平滑度で連続して連なる背景部分と、この背景部分内に設けられ、タイヤ半径方向最大幅が背景部分と同じで、かつ、多数のリッジを配列することにより標章を形成する前景部分とで構成し、
第二表示域の全部もしくは一部を構成する背景部分の表面を、前記第一表示域の前景部分と同じタイヤ厚さ方向底面高さを有するリッジを配列して構成し、これらのリッジのタイヤ厚さ方向高さを0.1〜1.0mmとしてなるタイヤである。
【００１２】
＜２＞は、＜１＞において、第二表示域の背景部分に、表面を平滑面で構成することにより標章を形成する前景部分を設け、この前景部分の表面のタイヤ厚さ方向高さをサイドウォール表面と同一とするタイヤである。
【００１３】
＜３＞は、＜１＞もしくは＜２＞において、前記第二表示域の背景部分に配列されたリッジを、そのタイヤ半径方向に対する傾斜角度、断面形状、および、配列間隔のいずれにおいても、前記第一表示域の前景部分のリッジと同一とするタイヤである。
【００１４】
＜４＞は、＜１＞〜＜３＞のいずれかにおいて、前記第二表示域のタイヤ半径方向最大幅を、前記第一領域のタイヤ半径方向最大幅の0.35〜1.35倍とするタイヤである。
【００１５】
＜５＞は、＜１＞〜＜４＞のいずれかにおいて、前記第一表示域に占めるその前景部分の面積の割合を、30〜90％とするタイヤである。
【００１６】
＜６＞は、＜１＞〜＜５＞のいずれかにおいて、前記第一表示域のタイヤ半径方向幅は10〜30mmとするタイヤである。
【発明の効果】
【００１７】
＜１＞によれば、第一表示域は、これに隣接するサイドウォール表面に、同じ平滑度で連続して連なる背景部分と、この背景部分内に設けられ、タイヤ半径方向最大幅が背景部分と同じで、かつ、多数のリッジを配列することにより標章を形成する前景部分とよりなるので、標章をなす前景部分を装飾帯のタイヤ半径方向幅いっぱいに広げ、このことによって標章を目立たせることができ、また、サイドウォールと前景部分との間に狭幅凹部が形成されることがなく、ここからのクラックに起因するタイヤの故障を防止することができ、そして、第二表示域の全部もしくは一部を構成する背景部分の表面を、前記第一表示域の前景部分と同じタイヤ厚さ方向底面高さを有するリッジを配列して構成したので、詳細を後述するように、タイヤを加硫する金型の加工工程における工数を低減することができ、さらに、それらのリッジのタイヤ厚さ方向高さを0.1mm以上としたので標章の視認性を確保することができ、また、これを1.0mm以下としたので、クラックの発生の可能性を低減することができる。
【００１８】
＜２＞によれば、第二表示域の背景部分に、表面を平滑面で構成することにより標章を形成する前景部分を設けたので、第一表示域に設けた標章より重要性は低いが必要不可欠な標章を形成することができ、また、この前景部分の表面のタイヤ厚さ方向高さをサイドウォール表面と同一としたので、不必要な凹凸感が目立つのを防止しつつ金型の加工工程における工数を低減することができる。
【００１９】
＜３＞によれば、前記第二表示域の背景部分に配列されたリッジを、そのタイヤ半径方向に対する傾斜角度、断面形状、および、配列間隔のいずれにおいても、前記第一表示域の前景部分のリッジと同一としたので、加工工程における工数をさらに低減することができる。
【００２０】
＜４＞によれば、前記第二表示域のタイヤ半径方向最大幅を、前記第一領域のタイヤ半径方向最大幅の0.35〜1.35倍としたので、装飾帯全体の視認性を高めることができ、前記第二表示域の半径方向最大幅が、第一領域の半径方向最大幅の1.35倍を超えた場合には、第一表示域における前掲部分が形成する標章のタイヤ半径方向幅が高い視認性を得るには十分ではなく、一方、この数値が0.35未満であると、第二表示域のタイヤ半径方向幅が相対的に狭くなりすぎて、第二表示域の視認性が低下してしまう。
【００２１】
＜５＞によれば、前記第一表示域に占めるその前景部分の面積の割合を、30％以上としたので、標章を一層目立たせることができ、また、これを90％以下としたので、前景部分の背景部分とのバランスを保ち、この場合も標章の視認性を高めることができる。
【００２２】
＜６＞によれば、前記第一表示域のタイヤ半径方向幅を10mm以上としたので、確実に視認性を確保することができ、また、これを30mm以下としたので、標章が大きくなりすぎて他のデザイン部分とのバランスが維持できなくなるのを防止することができる。
【発明を実施するための最良の形態】
【００２３】
本発明の実施形態について、図に基づいて説明する。図４（ａ）は、本発明に係る第一実施形態のタイヤを示す側面図、図４（ｂ）は、図４（ａ）のｂ４−ｂ４矢視に対応する断面図、図４（ｃ）は、図４（ａ）のｃ４−ｃ４矢視に対応する断面図、図４（ｄ）は、図４（ｂ）のＸ部分を拡大した断面図、そして、図４（ｅ）は、図４（ｃ）のＸ部分を拡大した断面図であり、また、図５（ａ）は、このタイヤの第一表示域を拡大して示す側面図であり、図５（ｂ）、図５（ｃ）は、それぞれ、この実施形態を変形したタイヤの第一表示域を拡大して示す側面図である。タイヤ１０は、少なくとも一方のサイドウォール１の表面に、タイヤ中心軸を周回する無端装飾帯２を形成してなり、無端装飾帯２は、周方向に交互に配置された第一表示域３と第二表示域４とのそれぞれ１つ以上（図示の場合は、一つずつ）よりなり、第一表示域３は、これに隣接するサイドウォール部分１に、同じ平滑度で連続して連なる背景部分５と、背景部分５内に多数のリッジ９を配列して形成された前景部分６とよりなり、前景部分６は、平滑な背景部分５との表面の違いによって標章を形成するものとなる。
【００２４】
このような第一表示域３においては、標章をなす前景部分６を装飾帯２のタイヤ半径方向幅いっぱいに広げることができ、このことによって標章を目立たせることができる。また、サイドウォール１と前景部分６との間に従来技術にあるような狭幅凹部が形成されることがなく、ここからのクラックに起因するタイヤの故障を防止することができる。
【００２５】
第二表示域４は、この全部もしくは一部（図示の場合は一部）を構成する背景部分７を、リッジ９を配列してその表面を構成し、このリッジ９のタイヤ厚さ方向底面高さを、第一表示域３の前景部分６のリッジ９と同じにしており、このことにより、タイヤを加硫する金型の加工工程における工数を低減することができる。
【００２６】
ここで、第一表示域３の前景部分６に配置されたリッジ９、および、第二表示域４の背景部分７に配置されたリッジ９のいずれにつても、これらのタイヤ厚さ方向高さを0.1〜1.0mmとしたことも、本発明の特徴の一つであり、このことによって、標章の視認性を確保と、クラックの抑制とを両立させることができる。
【００２７】
また、第二表示域４の背景部分７は必ず同心円状の円弧によって挟まれたものでなくともよく、デザインに応じて変化させてよい。
【００２８】
ここで、図５（ａ）に示すように、第一表示域３において、前景部分６の半径方向最大幅a1は、背景部分５の半径方向最大幅w1と同じであり、すなわち、第一表示域３は、前景部分６の最大幅部分を包絡する形状となるよう定められている。
そして、第二表示域の半径方向最大幅w0は、第一表示域３の半径方向最大幅w1の0.35〜1.35倍とするのが好ましい。
【００２９】
第一表示域の半径方向最大幅と、第二表示域４の半径方向最大幅w0に関して、図５（ａ）は、第一表示域３の半径方向最大幅w1と第二表示域４の半径方向最大幅w0とが等しい場合（すなわち、w1=w0）を示す図であり、また、図５（ｂ）は、第一表示域の半径方向最大幅w2が第二表示域４の半径方向最大幅w0より大きい場合（すなわち、w2＞w0（ただしw2＜1.35 w0））を、図５（ｃ）は、第一表示域の半径方向最大幅w3が第二表示域４の半径方向最大幅w0より小さい場合（すなわち、w3＜w0（ただし、w3＞0.35 w0）を示す図である。
ただし、いずれの場合も、前景部分６、６Ｂ、６Ｃの最大幅は、第一表示域３、３Ｂ、３Ｃの最大幅（すなわち、背景部分５、５Ｂ、５Ｃの最大幅）と同じであることに変わりはなく,例えば、図５（ｂ）および図５（ｃ）の例では、背景部分５Ｂ、５Ｃの最大幅w2、ｗ3は、いずれも、それらに対応する前景部６Ｂ、６Ｃ分の最大幅a2、a3と等しくなるよう設定されている。
【００３０】
第一表示域３において、背景部分５と前景部分６との表面粗度の差によって形成される標章は、図示の場合、「ＴＩＲＥ」なる文字であるが、このような標章としては、文字のほか、記号、図形、および、これらの組み合わせたものとすることができる。
【００３１】
そして、前景部分６の半径方向最大幅w1を、第二表示域４の半径方向最大幅w0と同じにした場合には特に、標章を無端装飾帯２の幅一杯に配置することができ、標章の視認性を一層向上させることができる。
【００３２】
また、タイヤ１０において、第一表示域３に占める前景部分６の面積の割合を30〜９０％とするのが好ましく、この面積の割合を30％以上とすることにより主たる標章を際だたせることができ、また、これを90％以下としたことにより、前景部分６の背景部分５に対するバランスを保ち、この場合も標章の視認性を高めることができる。
【００３３】
また、第一表示域３のタイヤ半径方向の幅は、一番狭い箇所でも10mm以上とするのが好ましく、標章の視認性を確保することができる。
【００３４】
さらに、第一表示域３の前景部分６、および、第二表示域４の背景部分７のリッジ９は、これらの、タイヤ半径方向に対する傾斜角度、断面形状、および、配列間隔のいずれにおいても、同一にするのが好ましく、このことにより、金型をよりシンプルな工程で加工することができる。
【００３５】
また、第一表示域３の前景部分６におけるリッジ９の頂部をサイドウォール１の表面より凹んだ高さ位置とするのが好ましく、リッジ９の端部をきれいに形成することができる。
【００３６】
ここで、第二表示域４の背景部分７に、平滑面よりなる前景部分８を設け、第一表示域３に形成した標章より優先度の低い標章をこの領域に配置することもできる。第二表示域４内に形成する標章は、優先度の低いものとするのが好ましく、これは、前景部分８とサイドウォール１との間に形成される背景部分７ａが狭幅となるのを避けるべく前景部分８の半径方向最大幅を小さくしなければならないからである。
【００３７】
ここで、本発明の効果の一つとして、タイヤを加硫する金型の加工工数の低減を挙げたが、この点について以下にさらに説明する。図６（ａ）は、厚さT0の板状母材５１から加工した、金型の、リッジ９に対応する部分を示す断面図であり、図６（ｂ）は、金型加工の途中の段階を示す金型の断面図であり、金型５０を形成するには、まず、板状母材５１から、その厚さが、リッジ９に対応する凸条５２の頂部の高さT1に達するまでフライス加工し、次いで、フライス加工により、リッジ９に対応する凸条５２及び、サイドウォール面１に対応する平面５３とを形成する。
【００３８】
本発明は、図示のような金型の加工工程において、第一表示域３の前景部分６を構成するリッジ９の底面と、第二表示域の背景部分７を構成するリッジ９の底面とを同じ高さにすることによって、高さがT0の母材を、高さがT1になるまで一気にフライス加工することができ、例えば、もし、第二表示域の背景部分７を構成するリッジ９の底面を、第一表示域３の前景部分６を構成するリッジ９の底面より低くした場合には、まず、第二表示域の背景部分７のリッジ９の底面に対応する高さまでフライス加工したあと、さらに、第二表示域の背景部分７に対応する金型部分以外の部分を第一表示域３の前景部分６を構成するリッジ９の底面に対応する高さまで平面加工する必要があり、加工工数の増大を招いてしまう。
【００３９】
図６（ａ）は、第一実施形態の変形例のタイヤを示す側面図、図６（ｂ）は、図６（ａ）のｂ３−ｂ３矢視に対応する断面図、そして、図６（ｃ）は、図６（ａ）のｃ３−ｃ３矢視に対応する断面図であり、変形例のタイヤ２０は、少なくとも一方のサイドウォール１の表面に、タイヤ中心軸を周回する無端装飾帯１２を形成してなり、無端装飾帯１２は、周方向に交互に一つずつ配置された第一表示域３と第二表示域１４とよりなり、タイヤ２０の第一表示域３は、第一実施形態のタイヤ１０の第一表示域３と全く同様に構成されていて、タイヤ２０は、第二表示域１４の背景部分１７中に設けられた前景部分１８の位置と大きさが、デザイン上、タイヤ１０における前景部分８と異なっているだけであり、無端装飾帯１２のそれぞれの部分が具備すべき特性については第一の実施形態のタイヤ１０について説明したのと同様である。
【００４０】
図７（ａ）は、本発明に係る第二実施形態のタイヤを示す側面図、図７（ｂ）は、図７（ａ）のｂ３−ｂ３矢視に対応する断面図、そして、図７（ｃ）は、図７（ａ）のｃ３−ｃ３矢視に対応する断面図であり、タイヤ３０は、少なくとも一方のサイドウォール１の表面に、タイヤ中心軸を周回する無端装飾帯２２を形成してなり、無端装飾帯２２は、周方向に交互に配置された第一表示域２３Ａ、２３Ｂと第二表示域２４Ａ、２４Ｂとのそれぞれ２つずつよりなり、第一表示域２３Ａ（もしくは２３Ｂ）は、これらに隣接するサイドウォール部分１に、同じ平滑度で連続して連なる背景部分２５Ａ（もしくは２５Ｂ）、と、リッジ９を配列することにより標章を形成する前景部分２６Ａ（もしくは２６Ｂ）とよりなり、第二表示域２４Ａの一部（もしくは第二表示域２４Ｂの一部）を構成する背景部分２７Ａ（もしくは２７Ｂ）は、リッジ９を配列してなり、第二表示域２４Ａの背景部分２７Ａ（もしくは２７Ｂ）のリッジ９は、少なくともタイヤ厚さ方向底面高さの点で、第一表示域２３Ａ（もしくは２３Ｂ）の前景部分２６Ａ（もしくは２６Ｂ）に配列されたリッジ９と同じであるという特徴を有する。
【００４１】
そして、第一表示域２３Ａ（もしくは２３Ｂ）において、前景部分２６Ａ（もしくは２６Ｂ）の半径方向最大幅は、背景部分２５Ａ（もしくは２５Ｂ）の半径方向最大幅w1と同じであり、すなわち、第一表示域２３Ａ（もしくは２３Ｂ）は、前景部分２６Ａ（もしくは２６Ｂ）の最大幅部分を包絡する形状となるよう定められている。
【００４２】
ここで、第二表示域２４Ａ（もしくは２４Ｂ）の半径方向最大幅w0は、第一表示域２３Ａ（もしくは２３Ｂ）の半径方向最大幅w1に対して、0.35〜1.35倍となるようにするのが好ましい。
【００４３】
ここで、第二の実施形態のタイヤ３０は、交互に配置された第一表示域２３Ａ、２３Ｂと第二表示域２４Ａ、２４Ｂとをそれぞれ１個ずつではなく、２個ずつ有する点において、第一の実施形態のタイヤ１０とは異なるが、この形態によっても、第一実施形態のタイヤ１０と同様の効果を奏することができる。
【００４４】
タイヤ３０において、一方の第一表示域２３Ａには、文字「ＴＩＲＥ」を表す標章が形成され、他方の第一表示域２３Ｂには、図形を表す標章が形成されているが、これらの標章を形成する前景部分２６Ａ、２６Ｂはいずれも、無端装飾帯２２の半径方向幅一杯に延在するように配置するのが好ましく、標章の視認性を高めることができる。
【００４５】
また、一方の第二表示域２４Ａにおいて、リッジ９により構成された背景部分２７Ａ内に平滑面よりなる前景部分２８Ａを配置することにより、文字「Ｔ００１」を表す標章を形成し、また、他方の第二表示域２４Ｂを、リッジ９を並べて形成された背景部分２７Ａだけで構成することにより、必要最低限の標章を形成するととともに、表面が粗の部分の面積を広くすることにより、表面に凹凸や汚れができた場合これらが目立たないようにすることができる。
【００４６】
ここで、第二表示域の前景部分２８Ａの表面のタイヤ厚さ方向高さは、サイドウォール表面の高さと同一にするのが好ましい。
【００４７】
図８（ａ）は、第二実施形態の変形例のタイヤを示す側面図、図８（ｂ）は、図８（ａ）のｂ３−ｂ３矢視に対応する断面図、そして、図８（ｃ）は、図８（ａ）のｃ３−ｃ３矢視に対応する断面図であり、変形例のタイヤ４０は、少なくとも一方のサイドウォール１の表面に、タイヤ中心軸を周回する無端装飾帯３２を形成してなり、無端装飾帯３２は、周方向に交互に配置された第一表示域３３Ａ、３３Ｂと第二表示域３４Ａ、３４Ｂとよりなる。
【００４８】
変形例のタイヤ４０を第二実施形態のタイヤ３０と対比すると、第一表示域３３Ａおよび第二表示域３４Ａは、タイヤ３０においてこれらに対応する第一表示域２３Ａおよびと第二表示域２４Ａに対して、それぞれ、同一もしくはほぼ同一の構成になり、一方、第一表示域３３Ｂおよび第二表示域３４Ｂは、タイヤ３０においてこれらに対応する部分に対して、それぞれ、図形ではなく文字「ＴＩＲＥ」を表す標章を形成する点、および、文字「Ｔ００１」を表す標章を形成している点で異なるものの、これらのデザイン上の点を除けば基本的な構成において相違はなく、したがって、タイヤ４０は、タイヤ３０について先に述べたのと同様の効果を奏することができる。
【産業上の利用可能性】
【００４９】
本発明は、サイドウォールを有するすべての種類のタイヤに用いることができる。
【図面の簡単な説明】
【００５０】
【図１】従来のタイヤを示す側面図および断面図である。
【図２】従来の他の例のタイヤを示す側面図および断面図である。
【図３】従来の他の例のタイヤを示す側面図および断面図である。
【図４】第一の実施形態のタイヤを示す側面図および断面図である。
【図５】第一の実施形態のタイヤの変形例を示す部分側面図である。
【図６】第一の実施形態のタイヤを加硫する金型の断面図である。
【図７】第一実施形態の変形例のタイヤを示す側面図および断面図である。
【図８】第二の実施形態のタイヤを示す側面図および断面図である。
【図９】第二実施形態の変形例のタイヤを示す側面図および断面図である。
【符号の説明】
【００５１】
１    サイドウォール
２    無端装飾帯
３、３B、３Ｃ    第一表示域
４    第二表示域
５、５B、５Ｃ    第一表示域の背景部分
６、６B、６Ｃ    第一表示域の前景部分
７    第二表示域の背景部分
８    第二表示域の前景部分
９    リッジ
１０    タイヤ
１１    サイドウォール
１２    無端装飾帯
１４    第二表示域
１７    第二表示域の背景部分
１８    第二表示域の前景部分
２０    タイヤ
２１    サイドウォール
２２    無端装飾帯
２３Ａ、２３Ｂ    第一表示域
２４Ａ、２４Ｂ    第二表示域
２５Ａ、２５Ｂ    第一表示域の背景部分
２６Ａ、２６Ｂ    第一表示域の前景部分
２７Ａ、２７Ｂ    第二表示域の背景部分
２８Ａ    第二表示域の前景部分
３０    タイヤ
３１    サイドウォール
３２    無端装飾帯
３３Ａ、３３Ｂ    第一表示域
３４Ａ、３４Ｂ    第二表示域
３５Ａ、３５Ｂ    第一表示域の背景部分
３６Ａ、３６Ｂ    第一表示域の前景部分
３７Ａ、３７Ｂ    第二表示域の背景部分
３８Ａ、３８Ｂ    第二表示域の前景部分
４０    タイヤ
【図１】
2009090950.tif 000003
【図２】
2009090950.tif 000004
【図３】
2009090950.tif 000005
【図４】
2009090950.tif 000006
【図５】
2009090950.tif 000007
【図６】
2009090950.tif 000008
【図７】
2009090950.tif 000009
【図８】
2009090950.tif 000010
【図９】
2009090950.tif 000011